(57)【特許請求の範囲】
【請求項１】
外部操作部材の操作に応じた指令信号を出力するコントローラがコネクタを介して接続され、前記指令信号に応じて動作が制御されるテレビカメラ用レンズ装置において、
前記コントローラから前記コネクタを介して加えられる電気信号に基づいて前記コントローラの種別を検知する検知手段と、
少なくとも２種類のコントローラの各種別毎にコントローラ側のコネクタの各コンタクトに関連付けられた信号内容に対応して作動する電気回路と、
前記検知手段の検知結果に応じて前記コントローラ側の信号内容に合致した電気回路に前記指令信号を導く接続切換手段と、
を備えたことを特徴とするテレビカメラ用レンズ装置。
【請求項２】
前記コントローラから出力される指令信号がアナログ信号であるかデジタル信号であるかを検知する前記検知手段と、
アナログ信号形式の指令信号に対応したアナログ制御回路と、
デジタル信号形式の指令信号に対応したデジタル制御回路と、
前記アナログ制御回路及びデジタル制御回路のうち、前記検知手段の検知結果に応じて前記コントローラ側の信号形式に合致した一方の制御回路に前記指令信号を導く前記接続切換手段と、
を備えたことを特徴とする請求項１記載のテレビカメラ用レンズ装置。
【請求項３】
前記コントローラから出力される指令信号がアナログ信号であるかデジタル信号であるかを示す判別信号が該コントローラ側から出力され、該判別信号によって前記アナログ制御回路又はデジタル制御回路の接続が切り換えられるように構成されていることを特徴とする請求項２記載のテレビカメラ用レンズ装置。
【発明の詳細な説明】
【０００１】
【発明の属する技術分野】
本発明はテレビカメラ用レンズ装置に係り、特にフィールドカメラやスタジオカメラ等の放送用テレビカメラに使用されるテレビカメラ用レンズ装置に関する。
【０００２】
【従来の技術】
放送用テレビカメラに用いられるズームレンズにはズーム、アイリス等の制御の為のコントローラがコネクタを介して着脱自在に接続され、電源の供給や信号のやりとりを行っている。このコネクタは、概ね１２ピン又は１０ピンのワンタッチ式のものが用いられているが、ズームレンズの仕様やコントローラの仕様によって異なっているのが現状である。
【０００３】
【発明が解決しようとする課題】
しかしながら、コントローラの機能を変更・拡張して信号を追加した場合など、従来のコネクタに他の機能を加えようとしてもピンが不足するという問題がある。この際、ピン数の多いコネクタに変更してしまうと従来のコントローラとの互換性がなくなり、変換用のアダプタ等の特別の手段が必要となり煩雑であるという欠点がある。
【０００４】
また、コネクタの形態が等しいものであれば、異なる仕様のコントローラであってもレンズへの接続が可能であるが、ピンと信号内容との対応関係がレンズ側の設定と異なっている場合には、レンズを正常に制御できないうえに、不測の電気信号がレンズ側に加わり、レンズ内部の電気回路が故障するおそれがある。特に、近年、デジタル形式の制御信号で通信するコントローラ及びレンズが開発され、従来のアナログ信号形式のコントローラ等との互換性が問題となっている。
【０００５】
本発明はこのような事情に鑑みてなされたもので、信号内容や信号形態の異なる仕様のコントローラを共通のコネクタで利用することができ、それぞれのコントローラで適切に制御を行うことができるテレビカメラ用レンズ装置を提供することを目的とする。
【０００６】
【課題を解決するための手段】
本発明は前記目的を達成する為に、外部操作部材の操作に応じた指令信号を出力するコントローラがコネクタを介して接続され、前記指令信号に応じて動作が制御されるテレビカメラ用レンズ装置において、前記コントローラから前記コネクタを介して加えられる電気信号に基づいて前記コントローラの種別を検知する検知手段と、少なくとも２種類のコントローラの各種別毎にコントローラ側のコネクタの各コンタクトに関連付けられた信号内容に対応して作動する電気回路と、前記検知手段の検知結果に応じて前記コントローラ側の信号内容に合致した電気回路に前記指令信号を導く接続切換手段と、を備えたことを特徴としている。
【０００７】
本発明によれば、コネクタを介してレンズと接続されたコントローラの種別を検知し、コントローラの信号内容に適合した電気回路に制御信号を導くようにしたので、信号内容や信号形態などの仕様が異なる異種コントローラの利用が可能となる。これにより、共通のコネクタを使用し、各コンタクトに関連付ける信号内容の変更、拡張が可能になる。
【０００８】
特に、コントローラから出力される指令信号がアナログ信号であるかデジタル信号であるかを検知し、その検知結果に応じてアナログ制御回路及びデジタル制御回路のうちコントローラ側の信号形式に合致した一方の制御回路に指令信号を導くことにより、アナログ用のコントローラと、デジタル用のコントローラとを共通のコネクタで互換使用が可能になるという利点がある。
【０００９】
【発明の実施の形態】
以下添付図面に従って本発明に係るテレビカメラ用レンズ装置の好ましい実施の形態について詳説する。
図１には、本発明に係るテレビカメラ用レンズ装置を放送用のテレビカメラに適用した例が示されている。雲台２に支持されたテレビカメラ４には、ズームレンズ１０が接続され、該テレビカメラ４の背面には、フォーカス操作及びズーム操作を行う為の操作棒１２が設けられている。操作棒１２の先端には指掛部１３が設けられ、カメラマンは、ビューファインダー１６に映る撮影像を見ながら右手で該操作棒１２を押し引き操作することによってズーム操作を行い、前記指掛部１３を回転操作することによって操作棒１２の軸を回転させ、フォーカス操作を行うことができるようになっている。
【００１０】
雲台２には２本の操作ロッド１８Ａ、１８Ｂが設けられ、カメラマンの左手側の操作ロッド１８Ａのグリップ付近には、コントローラ２０が取り付けられている。コントローラ２０は、例えば、予めアイリスや、ズーム及びフォーカスのポジションを記憶させておき、ボタン操作で瞬時に再現するショットボックスであり、ケーブル２２を介して前記ズームレンズ１０と連結され、ポテンショメータへの電源の供給や制御信号のやりとりを行っている。
【００１１】
ショットボックスは、制御信号をアナログ形式で出力するアナログタイプが主流であるが、制御信号をデジタル形式で出力するデジタルタイプのものも考えられる。また、上記アイリス、ズーム、フォーカスの制御機能に加え、エクステンダー切換スイッチ、リターンスイッチ、インカムスイッチ等を兼備した多機能コントローラも考えられる。
【００１２】
図２に示されているように、コントローラ２０の上面には、アイリス、ズーム、フォーカスのポジションを設定するためのツマミ２０１…や、エクステンダー切換スイッチ２０２、リターンスイッチ２０３など、の各種動作を指令する操作ボタン（外部操作部材に相当）が設けられている。そして、前記コントローラ２０は、ズームレンズ１０の底面にコネクタ２４を介して着脱自在に接続されている。尚、図中符号３２はフード、符号３３はタリーランプ窓、符号３４はレンズを持ち運ぶ為の把手、符号３５はカバー１１を固定する固定ネジ、符号３６はトラッキング調整用のフランジバック調整ツマミである。
【００１３】
前記コネクタ２４は、例えば、従来から多く利用されている１２ピンのワンタッチコネクタが用いられ、同形コネクタを有する異なる種類（仕様）コントローラの接続が可能となっている。コントローラ２０から出力される電気信号はケーブル２２及びコネクタ２４を介してズームレンズ１０に導かれ、そのうち必要な信号は図示しないインタフェースを介してテレビカメラ４側に送られるようになっている。
【００１４】
図３には、アナログ形式のコントローラとデジタル形式のコントローラとの互換を可能にしたテレビカメラ用レンズ装置の回路図の一例が示されている。同図においてコネクタ２４の左側がコントローラ側、右側がレンズ側を示している。尚、コネクタ２４の複数のピン（コンタクト）のうち特定のコンタクトのみを図示して説明する。
【００１５】
アナログ形式のコントローラとデジタル形式のコントローラとでは、共通のコネクタ２４が使用されているが、各コンタクトには異なる信号内容が関連付けられている。そのため、コントローラ２０には、当該コントローラがアナログ形式であるかデジタル形式であるかを示す判別信号を発生する判別信号発生手段（不図示）が設けられ、この判別信号発生手段から出力される判別信号は前記コネクタ２４の所定のコンタクト２５を介してレンズ側に加えられる。
【００１６】
例えば、アナログ形式のコントローラが接続された場合、判別信号としてはロウレベルの電気信号が加えられ、デジタル形式のコントローラが接続された場合はハイレベルの信号が加えられる。
一方、レンズ側には、アナログ形式の制御信号に対応して作動するアナログ回路４２と、デジタル形式の制御信号に対応して作動するデジタル回路４４と、が設けられるとともに、前記判別信号に応じて接点が切り換わる切換スイッチ４６が設けられている。
【００１７】
上記の如く構成されたテレビカメラ用レンズ装置によれば、ズームレンズ１０にアナログ形式のコントローラ２０が接続されると、コネクタ２４のコンタクト２５を介して、レンズ側にロウレベルの判別信号が加わる。このロウレベルの判別信号に応じて前記切換スイッチ４６の接片４７は接点４８に当接し、レンズ側はアナログ回路４２に設定される。従って、コントローラ２０からコンタクト２６を介して入力する制御信号（アナログ信号）はアナログ回路４２へと導かれ、該制御信号に応じた動作が行われる。
【００１８】
他方、デジタル形式のコントローラ２０が接続されると、コネクタ２４のコンタクト２５を介して、レンズ側にハイレベルの判別信号が加わる。このハイレベルの判別信号に応じて前記切換スイッチ４６の接片４７は接点４９に当接し、レンズ側はデジタル回路４４に設定される。従って、コントローラ２０からコンタクト２６を介して入力する制御信号（デジタル信号）はデジタル回路４４へと導かれ、該制御信号に応じた動作が行われる。
このように、接続されたコントローラの種別を検出し、その種別に応じてレンズ側の回路を切り換え、コントローラ側の各ラインの信号内容に適合した回路を形成する。これにより、異種コントローラの接続による誤動作や故障を防止することができ、仕様の異なるコントローラの互換利用が可能となる。
【００１９】
また、アナログ／デジタルの種別間の互換に限らず、同じアナログ形式（又はデジタル形式）のコントローラどうしの互換にも適用することができる。例えば、特定の動作を指令する場合に、あるコントローラは、ハイレベルの制御信号を出力し、別のコントローラはロウレベルの制御信号を出力するものである場合には、レンズ側にハイレベルの制御信号が入力したときに動作するアナログ回路と、ロウレベルの制御信号が入力したときに動作するアナログ回路とを形成し、コントローラの種別を検知して信号内容に適合した回路接続に切り換えるようにすることも可能である。
【００２０】
尚、多種多様のコントローラの全てに対応することが困難である場合には、少なくとも、故障しないように各ラインの信号をそれぞれ安全な回路に導くようにすることが望ましい。
上述のように、仕様の異なるコントローラどうしで、それぞれのコネクタの各コンタクトには異なる信号内容が関連付けられている場合にも、コントローラの種別を検知してコントローラ側の各ラインの信号内容に適合した回路接続とすることにより、共通のコネクタを使用して互換性を保ちつつ、コントローラの機能の変更、拡張が可能になる。
【００２１】
図３に示した実施の形態では、判別信号によってアナログ回路とデジタル回路とを切り換える場合について説明したが、判別信号を用いることなく、制御信号自体がデジタル形式であるかアナログ形式かを判別して、信号の受入先を切り換えるようにしてもよい。
図４には、制御信号の形式を判断することによりアナログ形式のコントローラとデジタル形式のコントローラの互換を可能にする構成が示されている。レンズ側には、所定のコンタクトに加えられる電気信号をデジタル回路用の電圧レベル（０〜５Ｖ）に変換するレベル変換回路５０と、レベル変換回路５０で変換された信号によってデジタル回路が動作するか否かを確認し、その判別結果に応じた判別信号を出力するするデジタル判別回路５２と、前記判別信号に応じて前記所定のコンタクトに加えられる制御信号をアナログ回路４２又はデジタル回路４４の何れか一方に導く切換回路５４と、が設けられている。
【００２２】
かかる構成により、コントローラ２０から出力された電気信号は、コネクタ２４を介してレンズ側に導かれ、レベル変換回路５０及び切換回路５４に加えられる。そして、レベル変換回路５０でレベル変換された電気信号はデジタル判別回路５２に導かれる。デジタル判別回路５２内のデジタル回路が動作すればコントローラ２０から出力された制御信号がデジタル形式の信号であることを意味し、この場合、デジタル判別回路５２から、デジタル形式の制御信号である旨を示す判別信号が出力される。この判別信号は切換回路５４に加えられ、切換回路５４は、該判別信号に基づいてコントローラ２０からの制御信号をデジタル回路４４に導く。
【００２３】
他方、デジタル判別回路５２内のデジタル回路が動作しなければコントローラ２０から出力された制御信号がアナログ形式の信号であることを意味し、この場合、デジタル判別回路５２から、アナログ形式の制御信号である旨を示す判別信号が出力される。この判別信号は切換回路５４に加えられ、切換回路５４は、該判別信号に基づいてコントローラ２０からの制御信号をアナログ回路４２に導く。尚、デジタル判別回路５２による信号の判別に時間を要する場合には、切換回路５４の直前に遅延回路を設けてもよいし、コントローラ２０側から制御信号を出力するに先立って、アナログかデジタルかの形式を示す識別信号（前置信号）を出力するようにしてもよい。
【００２４】
このように、制御信号がアナログ形式であるかデジタル形式であるかを判別し、接続されたコントローラの種別を検出することにより、その種別に応じた回路に制御信号を導くように回路を切り換えてもよい。これにより、異種コントローラの互換利用が可能となる。
上記実施の形態の他、コントローラから出力される所定のラインの電気信号の電圧レベルを予めコントローラの種別と対応づけておき、前記ラインの電圧レベルを判断してコントローラの種別を検出してもよい。
【００２５】
また、コントローラの種別（仕様）を示すコードを示す識別信号を制御信号に先立って出力し、該コードに応じてコントローラ側のラインに適合した回路をレンズ側に形成してもよい。
【００２６】
【発明の効果】
以上説明したように本発明に係るテレビカメラ用レンズ装置によれば、接続されたコントローラの種別を検知し、コントローラの信号内容に適合した回路に制御信号を導くようにしたので、信号内容や信号形態などの仕様が異なる異種コントローラの利用が可能となり、コネクタのコンタクトに関連付ける信号内容の変更、拡張が可能になる。また、コントローラ側から不測の電気信号がレンズ側に入力されて電気回路が故障するのを防止することができるという利点がある。
【００２７】
特に、コントローラから出力される指令信号がアナログ信号であるかデジタル信号であるかを検知し、その検知結果に応じてアナログ制御回路及びデジタル制御回路のうちコントローラ側の形式に合致した一方の制御回路に指令信号を導くことにより、変換コネクター等を用いることなく、アナログ用のコントローラと、デジタル用のコントローラとを共通のコネクタで互換使用が可能になるという利点がある。
【図面の簡単な説明】
【図１】図１は、本発明に係るテレビカメラ用レンズ装置の適用態様を示す斜視図である。
【図２】図２は、テレビカメラ用レンズ装置の側面外観図である。
【図３】図３は、テレビカメラ用レンズ装置の構成例を示す要部回路図である。
【図４】図４は、テレビカメラ用レンズ装置の他の構成例を示す要部ブロック図である。
【符号の説明】
４…テレビカメラ
１０…ズームレンズ
２０…コントローラ
２４…コネクタ
４２…アナログ回路
４４…デジタル回路
４６…切換スイッチ
５０…レベル変換回路
５２…デジタル判別回路
５４…切換回路
【図１】
0003680966.tif 000002
【図２】
0003680966.tif 000003
【図３】
0003680966.tif 000004
【図４】
0003680966.tif 000005